(57)【要約】      （修正有）【課題】番組表内の空白を有効活用して、出演者等の番組内容を視覚的且つ迅速に把握することを可能にし、しかも、番組表の見た目を華やかにして人目を引き、当該番組の視聴意欲を向上させることができる画像入り番組表を含む印刷物を提供する。【解決手段】テレビやラジオの番組表１の所望の表示区画２内に、番組の文字案内と共に、当該番組に関連した写真、画像又はイラスト等を挿入した画像３入り番組表を含む印刷物である。表示区画２が左右に分割され、その一方の分割区画に写真、画像又はイラストが挿入される。また、表示区画２が上下に分割され、その一方の分割区画に写真、画像又はイラストが挿入される。【選択図】図１
0003189645.tif 000002
【実用新案登録請求の範囲】
【請求項１】
テレビやラジオの番組表の所望の表示区画内に、番組の文字案内と共に、当該番組に関連した写真、画像又はイラストを挿入した画像入り番組表。
【請求項２】
前記写真、画像又はイラストが挿入される表示区画が左右に分割され、その一方の分割区画に前記写真、画像又はイラストが挿入される、請求項１に記載の画像入り番組表。
【請求項３】
前記写真、画像又はイラストが挿入される表示区画が上下に分割され、その一方の分割区画に前記写真、画像又はイラストが挿入される、請求項１に記載の画像入り番組表。
【考案の詳細な説明】
【技術分野】
【０００１】
本考案は、画像入り番組表に関するものであり、より詳細には、新聞や週刊誌等に掲載されているテレビ番組表に、当該番組の出演者等の画像を含めた画像入り番組表に関するものである。
【背景技術】
【０００２】
番組表、特に週刊誌に掲載される週刊テレビ番組表等では、放送番組は決定していても、その番組の具体的内容が未定である場合があり、その場合、当該番組表示部分に空白が存在する可能性があり、見た目の悪いものとなるだけでなく、その分無駄という見方もある。一方で、新聞や週刊誌に掲載されている番組表は、一般的に文字のみで構成されており、関連する画像や写真等は、番組表の欄外における当該番組の紹介欄に合わせ掲載するという方法が一般である。
【先行技術文献】
【特許文献】
【０００３】
【特許文献１】実用新案登録第３１３２２２８号公報
【特許文献２】特開平６−１５５９６３号公報
【考案の開示】
【考案が解決しようとする課題】
【０００４】
上述したように、現存する新聞や週刊誌等の番組表は、専ら文字のみで構成されており、出演者の顔写真や画像のような番組内容の把握を深めるための資料は、番組表の欄外に掲載するという方法が採用されている。そのため、番組表は文字だけの味気ないものとなり、また、週刊誌等の番組表に場合は、番組の具体的内容が未定のため、空白部分も存在し、見た目が悪くなるだけでなく、無駄となるという問題があった。
【０００５】
本考案はかかる現状に鑑みてなされたもので、番組表内の空白を有効活用して、出演者等の番組内容を視覚的且つ迅速に把握することを可能にし、しかも、番組表の見た目を華やかにして人目を引き、当該番組の視聴意欲を向上させることができる画像入り番組表を提供することを課題とする。
【課題を解決するための手段】
【０００６】
上記課題を解決するための本願請求項１に係る考案は、テレビやラジオの番組表の所望の表示区画内に、番組の文字案内と共に、当該番組に関連した写真、画像又はイラストを挿入した画像入り番組表である。
【０００７】
一実施形態においては、前記写真、画像又はイラストが挿入される表示区画が左右に分割され、その一方の分割区画に前記写真、画像又はイラストが挿入され、また、他の実施形態においては、前記写真、画像又はイラストが挿入される表示区画が上下に分割され、その一方の分割区画に前記写真、画像又はイラストが挿入される。
【考案の効果】
【０００８】
本考案に係る画像入り番組表は、上記のとおり、テレビやラジオの番組表の所望の表示区画内に、番組の文字案内と共に、当該番組に関連した写真、画像又はイラストを挿入したものであるので、例えば、番組出演者を名前と写真で表示することにより、番組内容をより正確に理解させ、且つ、推測させることで視聴意欲を高めることができ、番組表内の空白に写真や画像を挿入することにより空白の無駄をなくして見た目を良くすることができ、更に、出演者の写真等を表示するために、他ページや番組表欄外をあえて設ける必要がないといった効果がある。
【図面の簡単な説明】
【０００９】
【図１】本考案に係る画像入り番組表の一実施例を示した図である。
【考案を実施するための形態】
【００１０】
本考案を実施するための形態につき、添付図面に依拠して説明する。図１は、本考案に係る画像入り番組表１の一実施形態を示すもので、そこに示されるように、本考案に係る画像入り番組表１は、表示区画２内の空白に、当該表示区画２に記載される番組に関連した画像、写真、イラスト等（以下単に画像３とする）が挿入されることで構成される。
【００１１】
通例、番組表１は、１時間単位で１つの表示区画２を使用する態様となっている。例えば、２時間番組であれば、２つの表示区画２を使用して番組内容等を表示し、３時間番組であれば、３つの表示区画２を使用して番組内容等を表示する。また、ある１時間の番組構成が、１５分番組×４の場合は、表示区画２を四分割（指示線は存在しない）して表示区画２を使用する。
【００１２】
表示区画２の表示例としては、例えば、２時間番組の場合には、最初の１時間に相当する表示区画２を番組説明欄とし、次の１時間に相当する表示区画２を画像表示欄とすることが考えられ。また、表示区画２それ自体を、縦又は横に分割して表示することもできる。例えば、１つの表示区画２を縦に分割し、左側の分割区画を番組説明欄（文字部分）とし、右側の分割区画を画像等挿入欄とすることができる。あるいは、横に分割して、上側の分割区画を番組説明欄（文字部分）とし、下側の分割区画を画像等挿入欄とすることもできる。このようにすることにより、より一層、空白の有効活用が図れ、また、番組内容を的確に説明することが可能となる。
【００１３】
挿入する画像３としては、例えば、当該番組の出演者、当該番組がスポーツ番組であれば、出場予定の選手等が挙げられる。挿入する画像３は人間に限られる訳ではなく、例えば、特定の地域を紹介する番組であれば、当該番組で散策する地域を象徴する建物の画像としたり、アニメーション番組であれば、当該アニメーション登場人物の画像、動物番組であれば、当該番組に登場する動物の写真等としたりすることができる。
【００１４】
この考案をある程度詳細にその最も好ましい実施形態について説明してきたが、この考案の精神と範囲に反することなしに広範に異なる実施形態を構成することができることは明白である。従って、この考案は添付請求の範囲において限定した以外はその特定の実施形態に制約されるものではない。
【符号の説明】
【００１５】
１    番組表
２    表示区画
３    画像
【図１】
0003189645.tif 000003
【手続補正書】
【提出日】平成26年1月27日(2014.1.27)
【手続補正１】
【補正対象書類名】実用新案登録請求の範囲
【補正対象項目名】全文
【補正方法】変更
【補正の内容】
【実用新案登録請求の範囲】
【請求項１】
テレビやラジオの番組表の所望の表示区画内に、番組の文字案内と共に、当該番組に関連した写真、画像又はイラストを挿入した画像入り番組表を含む印刷物。
【請求項２】
前記写真、画像又はイラストが挿入される表示区画が左右に分割され、その一方の分割区画に前記写真、画像又はイラストが挿入される、請求項１に記載の画像入り番組表を含む印刷物。
【請求項３】
前記写真、画像又はイラストが挿入される表示区画が上下に分割され、その一方の分割区画に前記写真、画像又はイラストが挿入される、請求項１に記載の画像入り番組表を含む印刷物。
【手続補正２】
【補正対象書類名】明細書
【補正対象項目名】全文
【補正方法】変更
【補正の内容】
【考案の詳細な説明】
【技術分野】
【０００１】
本考案は、画像入り番組表を含む印刷物に関するものであり、より詳細には、新聞や週刊誌等に掲載されているテレビ番組表に、当該番組の出演者等の画像を含めた画像入り番組表を含む印刷物に関するものである。
【背景技術】
【０００２】
番組表、特に週刊誌に掲載される週刊テレビ番組表等では、放送番組は決定していても、その番組の具体的内容が未定である場合があり、その場合、当該番組表示部分に空白が存在する可能性があり、見た目の悪いものとなるだけでなく、その分無駄という見方もある。一方で、新聞や週刊誌に掲載されている番組表は、一般的に文字のみで構成されており、関連する画像や写真等は、番組表の欄外における当該番組の紹介欄に合わせ掲載するという方法が一般である。
【先行技術文献】
【特許文献】
【０００３】
【特許文献１】実用新案登録第３１３２２２８号公報
【特許文献２】特開平６−１５５９６３号公報
【考案の開示】
【考案が解決しようとする課題】
【０００４】
上述したように、現存する新聞や週刊誌等の番組表は、専ら文字のみで構成されており、出演者の顔写真や画像のような番組内容の把握を深めるための資料は、番組表の欄外に掲載するという方法が採用されている。そのため、番組表は文字だけの味気ないものとなり、また、週刊誌等の番組表に場合は、番組の具体的内容が未定のため、空白部分も存在し、見た目が悪くなるだけでなく、無駄となるという問題があった。
【０００５】
本考案はかかる現状に鑑みてなされたもので、番組表内の空白を有効活用して、出演者等の番組内容を視覚的且つ迅速に把握することを可能にし、しかも、番組表の見た目を華やかにして人目を引き、当該番組の視聴意欲を向上させることができる画像入り番組表を含む印刷物を提供することを課題とする。
【課題を解決するための手段】
【０００６】
上記課題を解決するための本願請求項１に係る考案は、テレビやラジオの番組表の所望の表示区画内に、番組の文字案内と共に、当該番組に関連した写真、画像又はイラストを挿入した画像入り番組表を含む印刷物である。
【０００７】
一実施形態においては、前記写真、画像又はイラストが挿入される表示区画が左右に分割され、その一方の分割区画に前記写真、画像又はイラストが挿入され、また、他の実施形態においては、前記写真、画像又はイラストが挿入される表示区画が上下に分割され、その一方の分割区画に前記写真、画像又はイラストが挿入される。
【考案の効果】
【０００８】
本考案に係る画像入り番組表を含む印刷物は、上記のとおり、テレビやラジオの番組表の所望の表示区画内に、番組の文字案内と共に、当該番組に関連した写真、画像又はイラストを挿入したものであるので、例えば、番組出演者を名前と写真で表示することにより、番組内容をより正確に理解させ、且つ、推測させることで視聴意欲を高めることができ、番組表内の空白に写真や画像を挿入することにより空白の無駄をなくして見た目を良くすることができ、更に、出演者の写真等を表示するために、他ページや番組表欄外をあえて設ける必要がないといった効果がある。
【図面の簡単な説明】
【０００９】
【図１】本考案に係る画像入り番組表を含む印刷物の一実施例を示した図である。
【考案を実施するための形態】
【００１０】
本考案を実施するための形態につき、添付図面に依拠して説明する。図１は、本考案に係る画像入り番組表を含む印刷物の番組表１の一実施形態を示すもので、そこに示されるように、番組表１は、表示区画２内の空白に、当該表示区画２に記載される番組に関連した画像、写真、イラスト等（以下単に画像３とする）が挿入されることで構成される。
【００１１】
通例、番組表１は、１時間単位で１つの表示区画２を使用する態様となっている。例えば、２時間番組であれば、２つの表示区画２を使用して番組内容等を表示し、３時間番組であれば、３つの表示区画２を使用して番組内容等を表示する。また、ある１時間の番組構成が、１５分番組×４の場合は、表示区画２を四分割（指示線は存在しない）して表示区画２を使用する。
【００１２】
表示区画２の表示例としては、例えば、２時間番組の場合には、最初の１時間に相当する表示区画２を番組説明欄とし、次の１時間に相当する表示区画２を画像表示欄とすることが考えられ。また、表示区画２それ自体を、縦又は横に分割して表示することもできる。例えば、１つの表示区画２を縦に分割し、左側の分割区画を番組説明欄（文字部分）とし、右側の分割区画を画像等挿入欄とすることができる。あるいは、横に分割して、上側の分割区画を番組説明欄（文字部分）とし、下側の分割区画を画像等挿入欄とすることもできる。このようにすることにより、より一層、空白の有効活用が図れ、また、番組内容を的確に説明することが可能となる。
【００１３】
挿入する画像３としては、例えば、当該番組の出演者、当該番組がスポーツ番組であれば、出場予定の選手等が挙げられる。挿入する画像３は人間に限られる訳ではなく、例えば、特定の地域を紹介する番組であれば、当該番組で散策する地域を象徴する建物の画像としたり、アニメーション番組であれば、当該アニメーション登場人物の画像、動物番組であれば、当該番組に登場する動物の写真等としたりすることができる。
【００１４】
この考案をある程度詳細にその最も好ましい実施形態について説明してきたが、この考案の精神と範囲に反することなしに広範に異なる実施形態を構成することができることは明白である。従って、この考案は添付請求の範囲において限定した以外はその特定の実施形態に制約されるものではない。
【符号の説明】
【００１５】
１    番組表
２    表示区画
３    画像
【手続補正３】
【補正対象書類名】図面
【補正対象項目名】図１
【補正方法】変更
【補正の内容】
【図１】
0003189645.tif 000004